(57)【要約】【課題】  符号化された監視カメラのディジタル撮影画像を１画面単位でのフレーム落ちが少なく、リアルタイムでの長時間の連続伝送を可能とする無線管理システムを実現する。【解決手段】  管理送受信部２１から送信されるディジタル信号の電界強度を電界強度測定部１６２ｂで測定し、カメラ送受信部１６からディジタル信号が送信された場合における、管理送受信部２１３で測定される電界強度を受信強度推定部１４１で推定し、ディジタル信号を変調する際の多値数をパラメータとした電界強度とカメラ送受信部から送信されるディジタル信号のビット誤り率との関係を示す誤り表を記憶部１５１に格納し、誤り表に基づいて、ディジタル信号のビット誤り率を所定値以下にするように多値数を制御部１４で制御するようにして無線セキュリティカメラ装置１を実現した。【選択図】      図１
2007089089.tif 000002
【特許請求の範囲】
【請求項１】
被写体を撮影してディジタル撮像画像を得る無線カメラ装置と、前記無線カメラ装置から送信される前記ディジタル撮像画像に基づいて、前記被写体を監視する監視装置と、を有し、前記無線カメラ装置の送信部から送信する１次信号が前記監視装置の受信部で受信した後、前記１次信号に対応する２次信号を前記無線カメラ装置に送信して、前記無線カメラ装置の受信部で受信された際の前記２次信号の送信電力が前記ディジタル撮像画像を前記監視装置に送信するのに適しているかどうかを判定して、適している場合には前記２次信号の送信電力で送信し、適していない場合には、前記２次信号の送信電力を変化させて前記ディジタル撮像画像を前記監視装置に送信する無線管理システムにおいて、
前記無線カメラ装置から前記２次信号の電力で送信した場合の前記監視装置で受信される受信電力を推定する受信電力推定部と、
前記撮像画像を変調する際の多値数をパラメータとした前記監視装置で受信される受信電力と前記ディジタル撮像画像のビット誤り率との関係を示す誤り表を格納する記憶部と、
前記誤り表に基づいて、前記受信電力推定部で推定された前記受信電力が前記監視装置に送信するのに適しているかどうかを判定して、送信に適するように前記無線カメラ装置の送信部から前記ディジタル撮像画像を出力させる制御部と、
を備えたことを特徴とする無線管理システム。
【発明の詳細な説明】
【技術分野】
【０００１】
本発明は、監視カメラで撮像した監視画像を管理システムに無線伝送するに際し、監視画像の２次利用に障害を与えることなくセキュリティ性能を補償して符号化された監視画像を無線伝送する無線管理システムに関する。
【背景技術】
【０００２】
最近になり、監視カメラで撮影した監視画像を管理装置に無線伝送し、監視画像を記録する一方、伝送された監視画像を分析して監視領域に異常があるか否かを判断し、異常がある場合には警報装置を稼動させる、監視センターに連絡するなどの無線式監視カメラ装置の活用がなされるようになってきた。
一方、監視画像を伝送するためには、符号化装置により符号化し情報量を圧縮して伝送する方がアナログ伝送するよりも小さな周波数帯域で、且つ高画質で伝送できるなど好ましい。その圧縮方式としてはいわゆるモーションＪＰＥＧ（Joint Photographic Coding Experts Group）や、ＭＰＥＧ（moving picture experts group）などの符号化方式が用いられる。
無線式監視カメラ装置の無線伝送は、免許取得が不要な無線ＬＡＮシステムを用いるのが便利である。
【０００３】
特許文献１には、監視カメラのズーム、フォーカス制御と共に圧縮される監視画像の画素数や圧縮率などを管理装置側から無線制御出来るようにしたワイヤレス監視システムが開示されている。
特許文献２には、無線伝送路の状況を推定することにより送受信部で適当と判断される変調方式を選択し、その変調方式で通信を行う送受信装置が開示されている。
【特許文献１】特開平９−９３１７９号公報
【特許文献２】特開２００２−２９０２４６号公報
【発明の開示】
【発明が解決しようとする課題】
【０００４】
しかしながら、特許文献１に開示されているワイヤレス監視システムでは、圧縮画像データに１画面単位でのフレーム落ちが生じた後に、例えば画像の圧縮率を低下させるようにして監視画像を伝送するため、監視画像の伝送が途切れることがある。監視画像に途切れがあると監視画像データの２次利用を十分に行うことが出来なく、信頼性の高い無線式セキュリティシステムを実現することが出来ない。
【０００５】
また、特許文献２に開示される送受信装置は、送受信部で適当とした変調方式を選択して送受信を行う場合ではセキュリティ画像の伝送に適した変調方式が選択されない。即ち、変調方式の選択はパソコン（パーソナルコンピュータ）で用いられれるディジタルデータの送受信に適した方式に設定される。パソコンは、受信するデータに誤りがあるとその誤り部分のデータを再送要求する。最初に伝送されたデータの誤り部分を再送データで置換しデータ受信が行われる。しかし、符号化された監視画像データを連続して送信する場合では１フレーム分の画像データの一部に誤りデータが含まれると１フレーム単位でのフレーム落ちが生じてしまう。
汎用の無線ＬＡＮシステムを用い、符号化された監視カメラのディジタル撮影画像を高品質で長時間連続して伝送する無線監視カメラ装置を実現することはできなかった。
【０００６】
そこで、本発明は、上記のような問題点を解消するためになされたもので、汎用の無線ＬＡＮシステムを用い、符号化された無線カメラ装置のディジタル撮影画像を１画面単位でのフレーム落ちが少なく、リアルタイムでの長時間連続伝送を可能とする無線管理システムを提供することを目的とする。
【課題を解決するための手段】
【０００７】
本願発明における第１の発明は、被写体を撮影してディジタル撮像画像を得る無線カメラ装置と、前記無線カメラ装置から送信される前記ディジタル撮像画像に基づいて、前記被写体を監視する監視装置と、を有し、前記無線カメラ装置の送信部から送信する１次信号が前記監視装置の受信部で受信した後、前記１次信号に対応する２次信号を前記無線カメラ装置に送信して、前記無線カメラ装置の受信部で受信された際の前記２次信号の送信電力が前記ディジタル撮像画像を前記監視装置に送信するのに適しているかどうかを判定して、適している場合には前記２次信号の送信電力で送信し、適していない場合には、前記２次信号の送信電力を変化させて前記ディジタル撮像画像を前記監視装置に送信する無線管理システムにおいて、前記無線カメラ装置から前記２次信号の電力で送信した場合の前記監視装置で受信される受信電力を推定する受信電力推定部と、前記撮像画像を変調する際の多値数をパラメータとした前記監視装置で受信される受信電力と前記ディジタル撮像画像のビット誤り率との関係を示す誤り表を格納する記憶部と、前記誤り表に基づいて、前記受信電力推定部で推定された前記受信電力が前記監視装置に送信するのに適しているかどうかを判定して、送信に適するように前記無線カメラ装置の送信部から前記ディジタル撮像画像を出力させる制御部と、を備えたことを特徴とする無線管理システムを提供する。
【発明の効果】
【０００８】
本発明によれば、無線カメラ装置から２次信号の電力で送信した場合の監視装置で受信される受信電力を推定する受信電力推定部と、撮像画像を変調する際の多値数をパラメータとした前記監視装置で受信される受信電力とディジタル撮像画像のビット誤り率との関係を示す誤り表を格納する記憶部と、前記誤り表に基づいて、前記受信電力推定部で推定された前記受信電力が前記監視装置に送信するのに適しているかどうかを判定して、送信に適するように前記無線カメラ装置の送信部から前記ディジタル撮像画像を出力させる制御部とを備えているので、汎用の無線ＬＡＮシステムを用い、符号化された無線カメラ装置のディジタル撮影画像を１画面単位でのフレーム落ちが少なく、リアルタイムでの長時間連続伝送を可能とする無線管理システムを実現できる。
【発明を実施するための最良の形態】
【０００９】
以下に本発明の無線管理システムの実施に係る無線セキュリティシステムについて図１〜図８を用いて説明する。
図１は、本発明の実施に係る、無線管理システムの実施に係る無線セキュリティシステムの構成例を示すブロック図である。
図２は、本発明の実施に係る、無線セキュリティシステムの要部のＣＰＵの機能を示す図である。
図３は、本発明の実施に係る、無線セキュリティシステムのカメラ側送受信部の構成例を示す図である。
図４は、本発明の実施に係る、無線装置の監視側送受信部の構成例を示す図である。
図５は、本発明の実施に係る、無線セキュリティシステムの要部のメモリに格納されるテーブル例を示す図である。
図６は、本発明の実施に係る、受信電力とビット誤り率の関係を、変調多値数をパラメータとして示した図である。
図７は、本発明の実施に係る、メモリに格納される受信電力比較用参照テーブルの記述例を示した図である。
図８は、本発明の実施に係る、無線セキュリティカメラ装置の動作をフローチャートで示した図である。
【００１０】
その無線セキュリティシステムは、汎用の無線ＬＡＮシステムを用い、符号化された無線カメラ装置のディジタル撮影画像を１画面単位でのフレーム落ちが少なく、リアルタイムでの長時間連続伝送を可能とする無線管理システムを実現するという目的を、無線カメラ装置から２次信号の電力で送信した場合の監視装置で受信される受信電力を推定する受信電力推定部と、撮像画像を変調する際の多値数をパラメータとした前記監視装置で受信される受信電力とディジタル撮像画像のビット誤り率との関係を示す誤り表を格納する記憶部と、前記誤り表に基づいて、前記受信電力推定部で推定された前記受信電力が前記監視装置に送信するのに適しているかどうかを判定して、送信に適するように前記無線カメラ装置の送信部から前記ディジタル撮像画像を出力させる制御部とを備えるようにして実現した。
【００１１】
無線セキュリティシステムの構成について述べる。
図１に示す無線セキュリティシステムは、撮像部１１、Ａ／Ｄ（Analog to Digital）変換部１２、画像符号化部１３、ＣＰＵ（Central Processing Unit）１４、メモリ１５、無線ＬＡＮ（Local Area Network）処理部１６、及び内部バス１９よりなる無線セキュリティカメラ装置１と、監視側送受信部２１を有する無線装置２と、有線ＬＡＮ２９と、有線ＬＡＮ処理部３１、ＣＰＵ３２、メモリ３３、ディスプレイコントローラ３４、画像復号化部３５、ハードディスク３６、解析部３７、及び内部バス３９よりなる監視装置３と、ディスプレイ４１とより構成される。カメラ側送受信部１６にはアンテナ１８が接続される。監視側送受信部２１にはアンテナ２８が接続される。
図２に示すＣＰＵ１４は、ＡＰ（Access Point）受信電力推定機能１４１、初期設定処理機能１４２、変調多値数変更命令機能１４３、変調多値数検出機能１４４、画像データ用受信電力比較機能１４５、及び外部からの誤り許容通知確認機能１４６を有する。
図３に示すカメラ側送受信部１６は、ＭＡＣ（Media Access Control）処理器１６１と、ベースバンド処理機能１６２ａに加えて受信電力計測機能１６２ｂ及び変調多値数変更機能１６２ｃを有するベースバンド処理器１６２と、無線周波処理器１６３とより構成される。
図４に示す監視側送受信部２１は、ＭＡＣ処理器２１１と、ベースバンド処理機能２１２ａを有するベースバンド処理器１６２と、無線周波処理器２１３とより構成される。
図５に示すＲＡＭ１５には画像データ用受信電力比較用参照テーブル１５１及び非セキュリティモードマーク１５２の記憶領域がある。
【００１２】
無線セキュリティカメラ装置の動作について述べる。
まず、無線セキュリティカメラ装置１は無線装置２の監視側送受信部２１で受信される受信電力と受信信号の誤り率の関係を、ディジタル変調の多値数をパラメータとして得て記憶する。得られた受信電力、受信信号の誤り率、及び多値数の関係を受信電力参照テーブルに記述し、メモリ１５に記憶する。
【００１３】
次に、ＣＰＵ１４は、無線装置２の監視側送受信部２１に対してビーコンの送信を依頼する。カメラ側送受信部１６は、監視側送受信部２１から所定の送信電力で送信されるビーコンの受信電力を計測し、計測結果をＣＰＵ１４に伝送する。ＣＰＵ１４は監視側送受信部２１から送信されたビーコンの送信電力と受信電力の関係から、カメラ側送受信部１６から所定の電力で送信される信号が監視側送受信部２１で受信される受信電力を推定する。
【００１４】
監視側送受信部２１で推定された受信電力を、メモリ１５に記憶されている受信電力参照テーブルと比較し、監視側送受信部２１で受信される信号の誤り率を推定する。推定された受信信号の誤り率を基に、セキュリティ目的の品質を確保して監視画像が送信可能であるか否かを検出する。送信可能であるとして検出された場合は撮像部１１から出力され、画像符号化部１３で符号化された符号化信号はカメラ側送受信部１６から所定の電力で送信される。
推定された受信信号の誤り率により、セキュリティ目的の監視画像が送信可能でないとして検出された場合には、ＣＰＵ１４はカメラ側送受信部１６で行われるディジタル変調の多値数を変更し、所定の受信信号の誤り率を確保する送信が可能かを検出する。伝送可能な多値数がある場合に、カメラ側送受信部１６は多値数を変更して符号化信号を監視側送受信部２１に送信する。
【００１５】
監視側送受信部２１は送信された信号を受信して符号化信号を得、得られた符号化信号を監視装置３に有線ＬＡＮ２９を介して伝送する。監視装置３の画像復号化部３５は、有線ＬＡＮ処理部３１を介して得られた符号化信号を復号化して監視画像を得る。ディスプレイコントローラ３４は監視画像を所定のフォーマットの信号形式でディスプレイ４１に送り、監視画像を表示させる。監視画像はハードディスク３６に記録される。解析部３７は、伝送された監視画像の動き解析やパターン認識などにより監視領域に異常が発生したか否かを判断する。異常時には出口をロックしたり、異常情報が警備センターや使用者に連絡される。受信信号の誤り率が所定値以下であれば、無線セキュリティカメラ装置１は送信された監視画像を基に上記の動作を行うことができる。
【００１６】
受信信号の誤り率が所定値を超え、誤りデータが受信される場合は符号化された監視画像を正常に復号化することはできない。有線ＬＡＮ処理部３１はカメラ側送受信部１６にエラーデータの再送を要求する。しかし、再送要求は連続して送信されるフレーム単位の符号化画像の送信後に行われるため、誤りデータが再送されるまでには所定の時間を要する。セキュリティ目的の監視画像の送信は所定の受信信号の誤り率以下で送信される必要がある。
監視側送受信部２１で、セキュリティ目的の品質で画像が受信可能な多値数が存在しない場合などは無線セキュリティカメラ装置１の図示しない表示部に、無線装置２との通信条件の良い場所に移動するように移動要求を表示する。セキュリティ品質が確保できていないことは警告ランプの点滅、あるいは警告音により通知しても良い。通信条件が改善された後に監視側送受信部２１の受信電力の検査を再度実行する。但し、使用者によりセキュリティ目的の監視画像を送信しなく、撮像部で撮影された画像のみの送信を行えば良いとされる操作が図示しない操作部で行われた場合は、セキュリティ目的の監視を行っていないことを示す非セキュリティマークを表示しつつ撮影画像の送信を行う。セキュリティ目的でない画像は、例えば1分に数回のブロックノイズが生じたり、通信路の状況により時々画像がフリーズするなどの不安定な画像である。被写体の確認程度は可能であるが、受信される画像を分析してセキュリティ面での異常を検出することは出来ない。
【００１７】
次に、詳細に説明する。
図２を参照し、ＣＰＵ１４について述べる。
ＣＰＵ１４は無線セキュリティカメラ装置１の動作制御を行う回路部である。
まず、初期設定処理機能１４２は、無線セキュリティカメラ装置１の電源投入時などにおいて無線装置２の監視側送受信部２１に対してビーコンの送信要求を発行する。そのビーコンは、例えばＩＥＥＥ８０２．１１（Institute of Electrical and Electronics Engineers 802.11 activities）に規定される方法によるビーコンである。監視側送受信部２１から送信されるビーコンは所定の送信電力で送信される。ＣＰＵ１４はカメラ側送受信部１６で受信されたビーコンの受信電力の情報を得る。
ＡＰ受信電力推定機能１４１は、監視側送受信部２１が所定の電力で送信する信号とカメラ側送受信部１６で受信される受信電力の関係から、カメラ側送受信部１６に設定されている送信電力値で送信した場合に監視側送受信部２１で受信される受信電力を推定する。
【００１８】
画像データ用受信電力比較機能１４５は、推定された受信電力をメモリ１５に記憶される受信電力参照テーブルと比較し、受信信号の誤り率を推定する。変調多値数検出機能１４４は推定された受信信号の誤り率がセキュリティ目的監視画像を送信するのに不足であると判断された場合には、ディジタル変調信号の多値数を変更して所定の受信信号の誤り率が得られるかを検出する。多値数を変更して所望の受信信号の誤り率が得られる場合に、変調多値数検出機能１４４は変調多値数検出信号を生成する。変調多値数検出信号が生成された場合に、変調多値数変更命令機能１４３はカメラ側送受信部１６に対して現在設定されている変調多値数の変更を命令する。
変調多値数検出機能１４４はセキュリティ目的監視画像を送信するためのディジタル変調信号の多値数がないとして検出した場合に、使用者からセキュリティ目的の監視を行わずに、撮像部で撮影された画像のみの送信を行いたいとして操作された場合に、誤り許容通知確認機能１４６は非セキュリティマークを撮影画像に多重表示させ、撮影された画像の送信を行わせる。
【００１９】
図３を参照してカメラ側送受信部について述べる。
まず、送信処理について述べる。
同図に示すカメラ側送受信部１６のＭＡＣ処理器１６１は、カメラ側送受信部１６から送信される信号をＩＥＥＥ８０２．１１に準拠させて送信するためのＭＡＣヘッダを付加した送信用フレームデータを生成する。ベースバンド処理器１６２のベースバンド処理機能１６２ａは送信用フレームデータを多値の信号点を有する実数軸及び虚数軸で定義されるＩＱ平面への割り付けを行う。多値の信号点として、例えば４つの信号点を定義するＱＰＳＫ（quadrature phase shift keying）、１６の信号点を定義する１６ＱＡＭ（Quadrature Amplitude Modulation）、６４の信号点を定義する６４ＱＡＭ、及び２５６の信号点を定義する２５６ＱＡＭなどがある。変調多値数変更機能１６２ｃは、予め設定されている信号点の数を、ＣＰＵ１４の変調多値数変更命令機能１４３により変更命令が出された場合に、予め設定されている多値数を命令された多値数に変更させる機能である。ベースバンド処理機能１６２ａは変更された多値数により信号点の割り付けを行う。次に、ＩＦＦＴ（Inverse fast Fourier transform；逆高速フーリエ変換）を行ってＯＦＤＭ（Orthogonal Frequency Division Multiplexing）の送信用ベースバンド信号を生成する。無線周波処理器１６３は送信用ベースバンド信号を送信用高周波信号に周波数変換して高周波信号を生成する。高周波信号はアンテナ１８から送信される。
【００２０】
受信処理について述べる。
アンテナ１８は無線装置２などから送信された高周波信号を取得する。無線周波処理器１６３は高周波信号を周波数変換してベースバンド信号を生成する。受信電力計測機能１６２ｂは生成されたベースバンド信号の信号レベルを基に、無線周波処理器１６３に入力される信号のレベル、即ち受信電力を計測する。受信電力は、ＣＰＵ１４からの要求に応じて計測された受信電力の情報をＣＰＵ１４に伝送する。ベースバンド処理機能１６２ａは無線周波処理器１６３で生成されたベースバンド信号のＦＦＴ（Fast Fourier Transform：高速フーリエ変換）処理を行い、フレームデータを得る。ＭＡＣ処理器１６１はフレームデータから送信されたビーコン等に係る情報信号を得る。
【００２１】
図４を参照して監視側送受信部２１について述べる。監視側送受信部２１は市場に供給されている無線ＬＡＮ処理に変更を加えることなくそのまま用いる。
従って、監視側送受信部２１は、カメラ側送受信部１６に比して受信電力計測機能や変調多値数変更機能を有していない。仮に受信電力計測機能を有している場合であっても、その機能は製造者の検査時に用いる機能であり、例えば監視装置３のＣＰＵ３２は、有線ＬＡＮ処理部３１及び有線ＬＡＮ２９を介して受信される信号の受信電力情報を取得することができない。従って、上記のＡＰ受信電力推定機能１４１が無線周波処理器２１３の受信電力を推定して得るようにしている。
【００２２】
図５〜図７を参照して、メモリ１５に格納されるデータについて述べる。
図５に示すメモリ１５にはＣＰＵ１４を実行させるコンピュータプログラム、及び演算中のデータを一時記憶させると共に、画像データ用受信電力比較用参照テーブル１５１や非セキュリティモードマークを記憶させる。
【００２３】
図６に示す受信電力に対するビット誤り率特性は、無線装置２の監視側送受信部２１をディジタル変調の多値数をパラメータとして予め測定して得られた特性である。パソコン同士が通信をしながらデータ交換するのに必要なビット誤り率は１０-9程度である。それは、パケット化されて送信されるデータのサイズが画像データを送信するよりも小さくされ、且つ誤りデータが生じた場合に再送要求により誤りデータ部分のみを短時間に得ることができるからである。
画像データを送信する場合にはパケット化されるデータサイズも大きく、１フレームのデータが連続して送信される。そのフレーム画像データ中に誤りデータが含まれると画像が正常に復号化できなく、また誤りデータの再送信もフレームデータ送信後になされるため復号化画像を得るために時間を必要とする。さらに、復号化画像はセキュリティ目的で分析されるため復号時間の遅延は許容できない。そこで、ビット誤り率はパソコン同士の通信に比して例えば２桁ほど小さな１０-11程度が必要である。
【００２４】
図７に示す画像データ用受信電力比較用参照テーブル１５１の記述例は、条件１〜条件４に対する受信電力とディジタル変調時に使用する多値数の関係を示したものである。条件１は、受信電力が−５４ｄＢｍ以上得られる場合であり多値数を６４とする６４ＱＡＭのディジタル変調が使用できる場合である。条件２は受信電力が−５４ｄＢｍ〜−６４ｄＢｍが得られる場合であり多値数を１６とする１６ＱＡＭを、条件３は受信電力が−６４ｄＢｍ〜−７４ｄＢｍが得られる場合であり多値数を４とするＱＰＳＫのディジタル変調によるセキュリティ目的の監視画像を送信可能とする。
【００２５】
条件４は、受信電力が−７４ｄＢｍ未満しか得られない場合でありディジタル変調を行うための多値数が存在しない。無線セキュリティカメラ装置１はセキュリティ目的の監視画像の送信を保証できない。そこで、使用者に対して無線セキュリティカメラ装置１を通信条件の良い場所に移動するか、またはセキュリティを目的としないカメラの撮影画像を伝送するかを選択させる。カメラの撮影画像を伝送するとして選択された場合には撮影画像にメモリ１５の非セキュリティモードマーク１５２を多重表示した撮影画像をカメラ側送受信部１６から送信させる。
ここで、多値数を２とするＢＰＳＫ（bi-phase shift keying）でディジタル変調すれば誤り率を低下させることはできる。しかしＢＰＳＫでの伝送レートはＱＰＳＫの半分であるため、リアルタイムの画像伝送ができない。従って、ＱＰＳＫで所定の信号誤り率を確保できない場合には条件４での処理を行う。
【００２６】
図８を参照して無線セキュリティカメラ装置設置時の信号の流れについて述べる。
まず、無線装置２にビーコンの送信を要求し、Ｓ（ステップ）７１で無線装置２から送信されたビーコンの受信電力を計測する。Ｓ７２で計測された受信電力の情報を基に無線装置２での受信電力を推定する。Ｓ７３で、推定された受信電力と画像データ用受信電力とを比較し、セキュリティ目的の監視画像を送信するために用いるＱＡＭ変調の最適な多値数（ディジタル変調に使用する信号点の数）が存在するかを検出する。最適な多値数が検出されない場合にはＳ７４で、ＣＰＵ１４から画像データ送信不可信号を生成し、カメラ側送受信部１６から無線装置２、及び監視側送受信部２１を介して監視装置３に送信すると共に、無線セキュリティカメラ装置１の図示しない表示部に監視を目的としない撮影画像を送信するかの画面を提示する。Ｓ７５で撮影画像を送信するが選択されたとして検出される場合には設置作業を完了させる。
【００２７】
Ｓ７５で撮影画像を送信するが選択されない場合には通信状態の良い場所に移動して設置するための画面を表示し、Ｓ７７で所定時間経過後に再度Ｓ７１からの処理を行う。
Ｓ７３で、セキュリティ目的の監視画像を送信するための最適な多値数が存在するとして検出された場合にはＳ８１でその多値数はビーコンを受信して設定したと同じ多値数であるかを検出する。Ｓ７２で受信されたビーコンの多値数と同じであるとして検出された場合にはその多値数のままセキュリティ目的の監視画像を送信すれば良いので無線セキュリティカメラ装置１の設置作業を完了させる。Ｓ８１で、多値数は受信されたビーコンの多値数と異なるとして検出された場合には、Ｓ８２でＣＰＵ１６は多値数変更要求情報を生成する。Ｓ８３で、カメラ側送受信部１６はＣＰＵからの変調多値数変更命令を基に変調多値数を変更し、無線セキュリティカメラ装置１の設置作業を完了する。
【００２８】
以上のように、本実施例で示した無線セキュリティシステムによれば、無線カメラ装置１から２次信号の電力で送信した場合の無線装置２で受信される受信電力を推定する受信電力推定部１４１と、撮像画像を変調する際の多値数をパラメータとした前記無線装置２で受信される受信電力とディジタル撮像画像のビット誤り率との関係を示す誤り表を格納する記憶部１５１と、前記誤り表に基づいて、前記受信電力推定部で推定された前記受信電力が前記監視装置に送信するのに適しているかどうかを判定して、送信に適するように前記無線装置２の送信部１６３から前記ディジタル撮像画像を出力させる制御部１４と、を有する無線セキュリティカメラ装置１を備えるようにして、無線セキュリティシステムは汎用の無線ＬＡＮシステムを用い、符号化された監視カメラのディジタル撮影画像を１画面単位でのフレーム落ちが少なく、リアルタイムでの長時間連続伝送を可能とする無線セキュリティシステムを実現した。
【産業上の利用可能性】
【００２９】
セキュリティ性能を補償して符号化された監視画像を無線伝送する無線監視カメラシステムに適用できる。
【図面の簡単な説明】
【００３０】
【図１】本発明の実施に係る、無線管理システムの実施に係る無線セキュリティシステムの構成例を示すブロック図である。
【図２】本発明の実施に係る、無線セキュリティシステムの要部のＣＰＵの機能を示す図である。
【図３】本発明の実施に係る、無線セキュリティシステムのカメラ側送受信部の構成例を示す図である。
【図４】本発明の実施に係る、無線装置の監視側送受信部の構成例を示す図である。
【図５】本発明の実施に係る、無線セキュリティシステムの要部のメモリに格納されるテーブル例を示す図である。
【図６】本発明の実施に係る、受信電力とビット誤り率の関係を、変調多値数をパラメータとして示した図である。
【図７】本発明の実施に係る、メモリに格納される受信電力比較用参照テーブルの記述例を示した図である。
【図８】本発明の実施に係る、無線セキュリティカメラ装置の動作をフローチャートで示した図である。
【符号の説明】
【００３１】
１    無線セキュリティカメラ装置
２    無線装置
３    監視装置
１１    撮像部
１２    Ａ／Ｄ変換部
１３    画像符号化部
１４    ＣＰＵ
１５    メモリ
１６    カメラ側送受信部
１８    アンテナ
１９    内部バス
２１    監視側送受信部
２８    アンテナ
２９    有線ＬＡＮ
３１    有線ＬＡＮ処理部
３２    ＣＰＵ
３３    メモリ
３４    ディスプレイコントローラ
３５    画像復号化部
３６    ハードディスク
３７    解析部
３９    内部バス
４１    ディスプレイ
１４１    ＡＰ受信電力推定機能
１４２    初期設定処理機能
１４３    変調多値数変更命令機能
１４４    変調多値数検出機能
１４５    画像データ用受信電力比較機能
１４６    外部からの誤り許容通知確認機能
１５１    画像データ用受信電力比較用参照テーブル
１５２    非セキュリティモードマーク
１６１    ＭＡＣ処理器
１６２    ベースバンド処理器
１６２ａ    ベースバンド処理機能
１６２ｂ    受信電力計測機能
１６２ｃ    変調多値数変更機能
１６３    無線周波処理器
２１１    ＭＡＣ処理器
２１３    無線周波処理器
【図１】
2007089089.tif 000003
【図２】
2007089089.tif 000004
【図３】
2007089089.tif 000005
【図４】
2007089089.tif 000006
【図５】
2007089089.tif 000007
【図６】
2007089089.tif 000008
【図７】
2007089089.tif 000009
【図８】
2007089089.tif 000010